(57)【要約】【課題】良好な意匠の便座装置を提供する。【解決手段】便座１０Ｂは、便鉢を有する便器本体３０の上面で起立状態と倒伏状態との間を回動する。この便座１０Ｂは、後端部に収納され、起立状態から倒伏状態に回動する際の降下速度を抑えるダンパー１５を備えている。【選択図】図３
2017035184.tif 000002
【特許請求の範囲】
【請求項１】
便鉢を有する便器本体の上面で起立状態と倒伏状態との間を回動する便座であって、
後端部に収納され、前記起立状態から前記倒伏状態に回動する際の降下速度を抑える回動部材を備えていることを特徴とする便座。
【請求項２】
裏面に開口する開口部、及びこの開口部を塞ぐ被覆部材を有し、前記回動部材を収納した収納部を備えていることを特徴とする請求項１記載の便座。
【請求項３】
前記被覆部材は前記開口部から着脱自在であることを特徴とする請求項２記載の便座。
【請求項４】
後端部に立ち上がり、前面の左右中央部が後方向に湾曲して窪んでおり、左右中央部よりも左右両端部の方が前後方向に厚く形成されており、左右両端部の少なくとも一方に前記収納部が設けられた立上がり部を備えていることを特徴とする請求項２又は請求項３に記載の便座。
【請求項５】
後端部の左右両側に後方向下向きに伸びて設けられ、前記収納部を左右外側から隠蔽する壁部材を備えていることを特徴とする請求項２乃至請求項４いずれか１項記載の便座。
【発明の詳細な説明】
【技術分野】
【０００１】
本発明は便座に関するものである。
【背景技術】
【０００２】
特許文献１は従来の便座を開示している。この便座は便鉢部を有する便器本体の上面に起立状態と倒伏状態との間を回動自在に載置されている。この便座を備えた便座装置はカバー及びヒンジユニットを備えている。便座はヒンジユニットに回動自在に軸支されている。ヒンジユニットは、便器本体の後部上面に固定され、カバーで覆われている。カバーはヒンジユニットと共に局部洗浄装置等も覆って収納している。ヒンジユニットは、便座の回動中心に、この便座が便器本体に対して倒伏状態から起立状態に回動する方向に回転力を付与している。これにより、この便座装置は、便座が倒伏状態から起立状態に回動する際、より小さな力で回動させることができる。このため、この便座装置は使用者への負担を抑えることができる。また、この便座装置は、便座が起立状態から倒伏状態に回動する際、便座の降下速度を抑えることができる。このため、この便座装置は便座が勢いよく降下して便器本体にぶつかり破損することを抑えることができる。
【先行技術文献】
【特許文献】
【０００３】
【特許文献１】特開２０１０−１２４８８２号公報
【発明の概要】
【発明が解決しようとする課題】
【０００４】
しかし、特許文献１の便座を備えた便座装置はヒンジユニットをカバー内に収納している。このため、この便座装置は、カバー内にヒンジユニットを収納する空間が必要であり、カバーの意匠が制約されるおそれがある。
【０００５】
本発明は、上記従来の実情に鑑みてなされたものであって、良好な意匠の便座装置を提供することを解決すべき課題としている。
【課題を解決するための手段】
【０００６】
本発明の便座は、便鉢を有する便器本体の上面で起立状態と倒伏状態との間を回動する便座であって、
後端部に収納され、前記起立状態から前記倒伏状態に回動する際の降下速度を抑える回動部材を備えていることを特徴とする。
【０００７】
本発明の便座は後端部に回動部材を収納している。このため、この便座を備えた便座装置は、回動部材に連結されたヒンジ部材の一部やヒンジ部材を連結する支持部材等を覆うカバー内に回動部材を収納しなくて済む。このため、この便座を備えた便座装置は、カバー内に回動部材を収納するための空間を設ける必要がなく、意匠の自由度を広げることができる。
【０００８】
したがって、本発明の便座は良好な意匠の便座装置を提供することができる。
【図面の簡単な説明】
【０００９】
【図１】実施例１の便座装置を載置した便器を示す側面図である。
【図２】実施例１の便座装置を上方から見た平面図である。
【図３】実施例１の便座装置を下側斜め右後方から見た斜視図である。
【図４】実施例１の便座装置を下側斜め右後方から見た状態であって、右収納部に対するダンパー、ダンパーケース、及びヒンジ部材の右部それぞれを示す分解斜視図である。
【図５】実施例１の便座装置を下側斜め右後方から見た状態であって、右収納部に対する右被覆部材の取り付け方向を示す要部拡大図である。
【図６】図１における矢視Ｘ−Ｘ部の断面図である。
【発明を実施するための形態】
【００１０】
本発明における好ましい実施の形態を説明する。
【００１１】
本発明の便座は、裏面に開口する開口部、及びこの開口部を塞ぐ被覆部材を有し、前記回動部材を収納した収納部を備え得る。この場合、この便座は倒伏状態において回動部材を収納した部分が使用者から見ることができない。また、この便座は起立状態においても、被覆部材によって開口部が塞がれているため、回動部材を収納した部分が使用者から見ることができない。これにより、この便座は外観を良好にすることができる。また、この便座は、汚れにくく、かつ清掃性を向上させることができる。また、この便座は、回動部材をメンテナンスする際、起立状態にすることによって、裏面に開口した開口部を有する収納部を作業者が見易い角度にすることができる。このため、この便座は回動部材をメンテナンスするために容易に着脱することができる。
【００１２】
本発明の被覆部材は前記開口部から着脱自在であり得る。この場合、この便座は回動部材をメンテナンスする場合、開口部から被覆部材を取り外すことによって、回動部材の着脱を容易にすることができる。
【００１３】
本発明の便座は、後端部に立ち上がり、前面の左右中央部が後方向に湾曲して窪んでおり、左右中央部よりも左右両端部の方が前後方向に厚く形成されており、左右両端部の少なくとも一方に前記収納部が設けられた立上がり部を備え得る。この場合、この便座は、立上がり部が左右中央部よりも左右両端部の方が前後方向に厚く形成されているため、回動部材を収納することができる収納部を左右両端部の少なくとも一方に容易に設けることができる。
【００１４】
本発明の便座は、後端部の左右両側に後方向下向きに伸びて設けられ、前記収納部を左右外側から隠蔽する壁部材を備え得る。この場合、この便座は、倒伏状態において、便座の裏面、便器本体の上面、及びカバーの間に形成された隙間の左右両側を壁部材が覆う。これにより、この便座は倒伏状態において左右両側から収納部を見え難くし、すっきりとした外観にすることができる。
【００１５】
次に、本発明の便座装置を具体化した実施例１について、図面を参照しつつ説明する。
【００１６】
＜実施例１＞
実施例１の便座１０Ｂを備えた便座装置１０は、図１に示すように、便鉢を有した便器本体３０の上面に載置されている。便座１０Ｂは便器本体３０の上面で起立状態と倒伏状態との間を回動する。この便座１０Ｂは局部洗浄装置等（図示せず）を収納したカバー１０Ａの内部に設けられた支持部材１０Ｔに連結されたヒンジ部材１１に回動自在に連結されている（図２参照。）。便座装置１０は、図３〜５に示すように、便座１０Ｂ、回動部材であるダンパー１５、ダンパーケース１２、ヒンジ部材１１、右被覆部材１３、及び左被覆部材１４を備えている。便座１０Ｂは、立上がり部１０Ｊ、右収納部１０Ｋ、左収納部１０Ｌ、及び一対の壁部材１０Ｍを備えている。
【００１７】
便座１０Ｂは、図２に示すように、上方（上方は図２における手前側、以下同じ。）からの平面視において、前端部と後端部（前後は図２における上下、以下同じ。）とがほぼ平行である。また、便座１０Ｂは左端部と右端部（左右は図２における左右、以下同じ。）とがほぼ平行である。便座１０Ｂは、中央部に前後方向に長いほぼ長円形状の開口が形成されている。
【００１８】
立上がり部１０Ｊは、図１、２に示すように、便座１０Ｂの後端部に上方向に立ち上がり伸びて設けられている。立上がり部１０Ｊの前面は左右中央部が後方向に着座した使用者の臀部の後側に沿うように湾曲して窪んでいる。詳しくは、立上がり部１０Ｊは、前面が左右方向において中央部が後方向に湾曲している。また、立上がり部１０Ｊは、前面が上下方向において下側が後方向に湾曲しつつ、便座１０Ｂの表面の後端部に連続している。また、立上がり部１０Ｊは左右中央部よりも左右両端部の方が前後方向に厚く形成されている。立上がり部１０Ｊは後端の左右両端部に後端から前方向に窪んで形成された切欠き部１０Ｎが設けられている。便座１０Ｂは内部が中空に形成されている。
【００１９】
右収納部１０Ｋは、図４、５に示すように、立上がり部１０Ｊの右端部の内部に設けられている。右収納部１０Ｋは便座１０Ｂの裏面に開口した開口部１０Ｖを有している。開口部１０Ｖは前端と後端とがほぼ平行である。また、開口部１０Ｖは左端と右端とがほぼ平行である。右収納部１０Ｋは一対のダンパー固定用ボス１０Ｐ及び被覆部材固定用ボス１０Ｑを具備している。一対のダンパー固定用ボス１０Ｐは円筒状をなし、基端を右収納部１０Ｋの奥に連結し上下方向に伸びている。これらダンパー固定用ボス１０Ｐは、下端である先端面が水平方向に広がり、互いの先端面の上下方向の高さが同じである。これらダンパー固定用ボス１０Ｐは一方が右収納部１０Ｋの右端部の前側に設けられ、他方が右収納部１０Ｋの中央部の後側に設けられている。被覆部材固定用ボス１０Ｑは、円筒状をなし、基端を右収納部１０Ｋの奥に連結し上下方向に伸びている。被覆部材固定用ボス１０Ｑは下端である先端面が水平方向に広がっている。被覆部材固定用ボス１０Ｑは右収納部１０Ｋの左端部の前側に設けられている。被覆部材固定用ボス１０Ｑは先端面が一対のダンパー固定用ボス１０Ｐの先端面より下方向に位置している。また、一対のダンパー固定用ボス１０Ｐ、及び被覆部材固定用ボス１０Ｑは右収納部１０Ｋの開口部１０Ｖより下側に突出していない。
【００２０】
左収納部１０Ｌは立上がり部１０Ｊの左端部の内部に設けられている（図６参照。）。左収納部１０Ｌは便座１０Ｂの裏面に開口した開口部１０Ｗを有している。開口部１０Ｗは前端と後端とがほぼ平行である。また、開口部１０Ｗは左端と右端とがほぼ平行である。左収納部１０Ｌは一対のヒンジ固定用ボス１０Ｒ、及び被覆部材固定用ボス（図示せず）を具備している（図６参照。）。一対のヒンジ固定用ボス１０Ｒは円筒状をなし、基端を左収納部１０Ｌの奥に連結し上下方向に伸びている（図示せず。）。これらヒンジ固定用ボス１０Ｒは下端である先端面が水平方向に広がっている（図示せず。）。これらヒンジ固定用ボス１０Ｒは一方が左収納部１０Ｌの右端部の前側に設けられ、他方が左収納部１０Ｌの右端部の後側に設けられている（図示せず。）。これらヒンジ固定用ボス１０Ｒは互いの左右方向の位置が同じである（図示せず。）。被覆部材固定用ボスは円筒状をなし、基端を左収納部１０Ｌの奥に連結し上下方向に伸びている（図示せず。）。被覆部材固定用ボスは先端面が水平方向に広がっている（図示せず。）。被覆部材固定用ボスは左収納部１０Ｌの右端部の前側に設けられている（図示せず。）。一対のヒンジ固定用ボス１０Ｒ、及び被覆部材固定用ボスは左収納部１０Ｌの開口部１０Ｗより下側に突出していない（図示せず。）。
【００２１】
一対の壁部材１０Ｍは、図３に示すように、平板状をなし、それぞれ便座１０Ｂの後端部の左右両側に基端部が連続して後方向下向きに伸びて設けられている。これら壁部材１０Ｍは右収納部１０Ｋの開口部１０Ｖの右側、及び左収納部１０Ｌの開口部１０Ｗの左側に設けられている。これら壁部材１０Ｍは先端部が後方向下向きに湾曲して膨らみ形成されている。これら壁部材１０Ｍの先端部は、図１に示すように、カバー１０Ａの前端の下部の左右両側の形状にそって湾曲している。
【００２２】
ダンパー１５は、図４に示すように、ダンパー本体１５Ａとダンパー本体１５Ａから突出した回転軸１５Ｂとを有している。ダンパー本体１５Ａは外形が左右方向に伸びた円柱状である。回転軸１５Ｂはダンパー本体１５Ａの左端面から左方向に伸びたほぼ円柱状である。ダンパー本体１５Ａは外径が回転軸１５Ｂの外径よりも大きい。ダンパー１５は、ダンパー本体１５Ａ又は回転軸１５Ｂいずれか一方を保持して他方を周方向の一方向に回転させると、その反対方向に抵抗力が生じる。また、ダンパー１５は、ダンパー本体１５Ａ又は回転軸１５Ｂのいずれか一方を保持して他方を周方向の他方向に回転させると、他方を一方向に回転させた場合に比べて、その反対方向に小さな抵抗力が生じる。回転軸１５Ｂは、中心軸に対して平行で中心軸を挟み中心軸から互いに等しい寸法の平面が形成されている。つまり、回転軸１５Ｂは、左側から中心軸方向を見ると、互いに平行な２つの直線が円柱状の中心から所定の寸法を空けて、円柱状の中心に対称に形成されている。また、ダンパー本体１５Ａは右端面に右方向に突出した凸部１５Ｃを具備している。この凸部１５Ｃは、右側からダンパー本体１５Ａの中心軸方向を見ると、互いに平行な２つの直線が円柱状の中心から所定の寸法を空けて、円柱状の中心に対称に形成されている。
【００２３】
ダンパーケース１２は、図４、５に示すように、平面部１２Ａ、一対のボルト挿通孔１２Ｂ、及びケース部１２Ｃを具備し、上方向に伸びている。平面部１２Ａは平板状をなし水平方向に伸びてダンパーケース１２の下端に設けられている。平面部１２Ａは前端と後端とがほぼ平行である。また、平面部１２Ａは左端と右端とがほぼ平行である。一対のボルト挿通孔１２Ｂは平面部１２Ａに上下方向に貫通して設けられている。詳しくは、一対のボルト挿通孔１２Ｂは一方が平面部１２Ａの前端の右側に設けられ、他方が平面部１２Ａの後端の左側に設けられている。ケース部１２Ｃは平面部１２Ａの上面に設けられている。ダンパーケース１２はケース部１２Ｃにダンパー１５のダンパー本体１５Ａが挿入されている。詳しくは、ダンパーケース１２はケース部１２Ｃにダンパー１５のダンパー本体１５Ａが挿入され、ダンパー１５の右端面に設けられた凸部１５Ｃが連結されている（図示せず。）。これにより、ダンパーケース１２はダンパー１５のダンパー本体１５Ａに対して回動することがない。
【００２４】
ヒンジ部材１１は、図３〜６に示すように、右部１１Ａ、左部１１Ｂ、左右連結部１１Ｃを具備している。右部１１Ａは下端部から上端部が上方向に伸びている。右部１１Ａは下端部に左右方向に設けられ、右側が開口した穴部１１Ｄが設けられている。穴部１１Ｄは右側から見た形状がダンパー１５の回転軸１５Ｂの中心軸に対して直角方向の断面形状と同じである。この穴部１１Ｄにダンパー１５の回転軸１５Ｂが挿入され連結されている。これにより、ヒンジ部材１１の右部１１Ａはダンパー１５の回転軸１５Ｂに対して回動することがない。
【００２５】
ヒンジ部材１１の左部１１Ｂは、図３に示すように、下端部から上端部が上方向に伸びている。左部１１Ｂは下端部に円筒状をなし左右方向に伸びて設けられた軸部１１Ｅが形成されている（図６参照。）。この軸部１１Ｅは一方が左部１１Ｂの右側に突出し、他方が左部１１Ｂの下端部に連結されている。ヒンジ部材１１の左右連結部１１Ｃは左右方向に伸びて形成されており、右部１１Ａ及び左部１１Ｂの互いの上端部を連結している。また、左右連結部１１Ｃは局部洗浄装置等を収納したカバー１０Ａの内部に設けられた支持部材１０Ｔに連結されている。
【００２６】
互いに連結されたダンパー１５、ダンパーケース１２、及びヒンジ部材１１の右部１１Ａ、は右収納部１０Ｋに収納されている。詳しくは、右収納部１０Ｋの奥に、回動部材であるダンパー１５、ダンパーケース１２の下端部、及びヒンジ部材１１の右部１１Ａの下端部が収納されている。ダンパーケース１２は平面部１２Ａの上面が右収納部１０Ｋに設けられた一対のダンパー固定用ボス１０Ｐの先端面に当接している。また、一対のボルト挿通孔１２Ｂはそれぞれダンパー固定用ボス１０Ｐの穴に同軸に連通している。こうして、ダンパーケース１２は一対のボルト挿通孔１２Ｂのそれぞれにボルト１２Ｄが挿通され、これらボルト１２Ｄがダンパー固定用ボス１０Ｐの穴にねじ込まれ右収納部１０Ｋに固定される。こうして、ダンパー１５のダンパー本体１５Ａは、ダンパーケース１２を介して右収納部１０Ｋに固定される。また、ダンパーケース１２、及びヒンジ部材１１の右部１１Ａ、は便座１０Ｂの後端に設けられた右側の切欠き部１０Ｎを通り上方向に伸びている。
【００２７】
また、ヒンジ部材１１の左部１１Ｂの下端部は、図６に示すように、左収納部１０Ｌに収納されている。詳しくは、左収納部１０Ｌの奥にヒンジ部材１１の左部１１Ｂに設けられた軸部１１Ｅが収納されている。この軸部１１Ｅは円柱状の外周面に下方向から軸押え部材１０Ｕが当接している。この軸押え部材１０Ｕは上面が左収納部１０Ｌに設けられた一対のヒンジ固定用ボス１０Ｒの先端面に当接している。また、この軸押え部材１０Ｕは上下方向に貫通した一対のボルト挿通孔が設けられている（図示せず。）。これらボルト挿通孔は一対のヒンジ固定用ボス１０Ｒの穴に同軸に連通している（図示せず。）。こうして、軸押え部材１０Ｕは一対のボルト挿通孔のそれぞれにボルトが挿通され、これらボルトがヒンジ固定用ボス１０Ｒの穴にねじ込まれ左収納部１０Ｌに固定される（図示せず。）。こうして、ヒンジ部材１１の軸部１１Ｅは軸押え部材１０Ｕを介して左収納部１０Ｌに回動自在に連結される（図示せず。）。軸部１１Ｅは中心軸がダンパー１５の中心軸上に配置されている。また、ヒンジ部材１１の左部１１Ｂは便座１０Ｂの後端に設けられた左側の切欠き部１０Ｎを通り上方向に伸びている。
【００２８】
右被覆部材１３は、図３、５に示すように、被覆部本体１３Ｅ、第１固定用凹部１３Ａ、第１ヒンジ用切欠き部１３Ｂ、第１係止部１３Ｃ、及び立壁部１３Ｄを具備している。被覆部本体１３Ｅは平板状をなして伸びており前端より後端が上側に位置している。第１固定用凹部１３Ａは被覆部本体１３Ｅの左端部の前側に設けられている。第１固定用凹部１３Ａは外形が前後方向に長い長円形状である。第１固定用凹部１３Ａは筒部１３Ｋ及び閉鎖部１３Ｆを具備している。筒部１３Ｋは長円形状の端から上方向に筒状をなして伸びている。閉鎖部１３Ｆは筒部１３Ｋの上端である奥を水平方向に閉鎖している。第１固定用凹部１３Ａは閉鎖部１３Ｆに上下方向に貫通したボルト挿通孔１３Ｇが設けられている。第１ヒンジ用切欠き部１３Ｂは被覆部本体１３Ｅの後端部の左側に前方向に窪んで形成されている。第１係止部１３Ｃは帯状をなし被覆部本体１３Ｅの右端部の後側に基端を連結し上方向に伸びている。第１係止部１３Ｃは上端部である先端に右方向に突出した爪部が形成されている。立壁部１３Ｄは左右方向に厚みを有し被覆部本体１３Ｅの右端部から下方向前方に伸びている。
【００２９】
右被覆部材１３は被覆部本体１３Ｅで右収納部１０Ｋの開口部１０Ｖを塞いで配置されている。このとき、右被覆部材１３は第１固定用凹部１３Ａの閉鎖部１３Ｆの上面が右収納部１０Ｋ設けられた被覆部材固定用ボス１０Ｑの先端面に当接している（図示せず。）。右被覆部材１３は閉鎖部１３Ｆに設けられたボルト挿通孔１３Ｇが被覆部材固定用ボス１０Ｑの穴に同軸に連通している（図示せず。）。また、右被覆部材１３は第１ヒンジ用切欠き部１３Ｂの左右方向の位置が便座１０Ｂの後端に設けられた右側の切欠き部１０Ｎの左右方向の位置に一致している。第１ヒンジ用切欠き部１３Ｂの左右方向の寸法は右側の切欠き部１０Ｎの左右方向の寸法と同じである。また、右被覆部材１３は第１係止部１３Ｃが右収納部１０Ｋに設けられた第１被係止部に係止されている（図示せず。）。右被覆部材１３は立壁部１３Ｄの右側が便座１０Ｂの後端部の右側に設けられた壁部材１０Ｍの左側に隣接している。こうして、右被覆部材１３はボルト挿通孔１３Ｇにボルト１３Ｌが挿通され、ボルト１３Ｌが被覆部材固定用ボス１０Ｑの穴にねじ込まれ右収納部１０Ｋに固定される。つまり、右被覆部材１３は右収納部１０Ｋの開口部１０Ｖから着脱自在である。また、右被覆部材１３は第１固定用凹部１３Ａにボルト１３Ｌを隠すために第２係止部１３Ｊを具備した目隠し部材１３Ｈが取付けられる。この目隠し部材１３Ｈは第２係止部１３Ｊが第１固定用凹部１３Ａに設けられた第２被係止部に係止されているため脱落しない（図示せず。）。
【００３０】
左被覆部材１４は、図３に示すように、被覆部本体１４Ｅ、固定用凹部１４Ａ、第２ヒンジ用切欠き部１４Ｂ、第３係止部（図示せず）、及び立壁部１４Ｄを具備している。被覆部本体１４Ｅは平板状をなして伸びており前端より後端が上側に位置している。固定用凹部１４Ａは被覆部本体１４Ｅの右端部の前側に設けられている。固定用凹部１４Ａは外形が前後方向に長い長円形状である。固定用凹部１４Ａは筒部１４Ｋ及び閉鎖部を具備している（図示せず。）。筒部１４Ｋは長円形状の端から上方向に筒状をなして伸びている。閉鎖部は筒部１４Ｋの上端を水平方向に閉鎖している（図示せず。）。固定用凹部１４Ａは閉鎖部に上下方向に貫通した貫通孔が設けられている（図示せず。）。第２ヒンジ用切欠き部１４Ｂは被覆部本体１４Ｅの後端部の左側に前方向に窪んで形成されている。第３係止部は帯状をなし被覆部本体１４Ｅの左端部の後側から上方向に伸びている（図示せず。）。第３係止部は先端部に左方向に突出した爪部が形成されている（図示せず。）。立壁部１４Ｄは左右方向に厚みを有し被覆部本体１４Ｅの左端部から下方向前方に伸びている。
【００３１】
左被覆部材１４は被覆部本体１４Ｅで左収納部１０Ｌの開口部１０Ｗを塞いで配置されている。このとき、左被覆部材１４は固定用凹部１４Ａの閉鎖部の上面が左収納部１０Ｌに設けられた被覆部材固定用ボスの先端面に当接している（図示せず。）。左被覆部材１４は閉鎖部に設けられたボルト挿通孔が被覆部材固定用ボスの穴に同軸に連通している（図示せず。）。また、左被覆部材１４は第２ヒンジ用切欠き部１４Ｂの左右方向の位置が便座１０Ｂの後端に設けられた左側の切欠き部１０Ｎの左右方向の位置に一致している。第２ヒンジ用切欠き部１４Ｂの左右方向の寸法は左側の切欠き部１０Ｎの左右方向の寸法と同じである。また、左被覆部材１４は第３係止部が左収納部１０Ｌに設けられた第３被係止部に係止されている（図示せず。）。左被覆部材１４は立壁部１４Ｄの左側が便座１０Ｂの後端部の左側に設けられた壁部材１０Ｍの右側に隣接している。こうして、左被覆部材１４はボルト挿通孔にボルトが挿通され、ボルトが被覆部材固定用ボスの穴にねじ込まれ左収納部１０Ｌに固定される（図示せず。）。つまり、左被覆部材１４は左収納部１０Ｌの開口部１０Ｗから着脱自在である。また、左被覆部材１４は固定用凹部１４Ａにボルトを隠すために第４係止部を具備した目隠し部材１４Ｈが取付けられる。この目隠し部材１４Ｈは第４係止部が固定用凹部１４Ａに設けられた第４被係止部に係止されているため脱落しない（図示せず。）。
【００３２】
次に、この便座装置１０の便座１０Ｂが起立状態から倒伏状態に回動する動作を説明する。
【００３３】
この便座装置１０は、図２に示すように、ヒンジ部材１１の左右連結部１１Ｃがカバー１０Ａの内部に設けられた支持部材１０Ｔに連結されている。また、この便座装置１０は、図４、５に示すように、ダンパーケース１２が便座１０Ｂに連結されている。詳しくは、この便座装置１０は、ヒンジ部材１１を介してダンパー１５の回転軸１５Ｂがカバー１０Ａの内部に設けられた支持部材１０Ｔに連結され、ダンパーケース１２を介してダンパー１５のダンパー本体１５Ａが便座１０Ｂに連結されている。つまり、この便座装置１０は後端部に設けられた右収納部１０Ｋに収納されたダンパー１５を介して便座１０Ｂとカバー１０Ａの内部に設けられた支持部材１０Ｔとが連結されている。これにより、この便座装置１０は便座１０Ｂが起立状態から倒伏状態に回動する際、ダンパー１５で生じる回動する方向と反対方向の抵抗力によって便座１０Ｂの降下速度を抑えることができる。また、この便座装置１０は倒伏状態で便器本体３０の上面に配置された際、便座１０Ｂの後端部の左右両側に設けられた壁部材１０Ｍによって便座１０Ｂの後端部の下面、便器本体３０の上面、及びカバー１０Ａとの間に形成された隙間の左右両側を覆うため、右収納部１０Ｋ及び左収納部１０Ｌを左右外側から見え難くし、すっきりとした外観にすることができる。つまり、壁部材１０Ｍは右収納部１０Ｋ及び左収納部１０Ｌを左右外側から隠蔽する。
【００３４】
このように、この便座装置１０は、便座１０Ｂの後端部にダンパー１５を収納している。このため、この便座１０Ｂを備えた便座装置１０は、ダンパー１５に連結されたヒンジ部材１１の一部やヒンジ部材１１を連結する支持部材１０Ｔ等を覆うカバー１０Ａ内にダンパー１５を収納しなくて済む。このため、この便座１０Ｂを備えた便座装置１０は、カバー１０Ａ内にダンパー１５を収納するための空間を設ける必要がなく、意匠の自由度を広げることができる。
【００３５】
したがって、本発明の便座１０Ｂは良好な意匠の便座装置１０を提供することができる。
【００３６】
また、この便座１０Ｂは、裏面に開口する開口部１０Ｖ、及びこの開口部を塞ぐ右被覆部材１３を有し、ダンパー１５を収納した右収納部１０Ｋを備えている。このため、この便座１０Ｂは倒伏状態においてダンパー１５を収納した部分が使用者から見ることができない。また、この便座１０Ｂは起立状態においても、右被覆部材１３によって開口部１０Ｖが塞がれているため、ダンパー１５を収納した部分が使用者から見ることができない。これにより、この便座１０Ｂは外観を良好にすることができる。また、この便座１０Ｂは、汚れにくく、かつ清掃性を向上させることができる。また、この便座１０Ｂは、ダンパー１５をメンテナンスする際、起立状態にすることによって、裏面に開口した開口部１０Ｖを有した右収納部１０Ｋを作業者が見易い角度にすることができる。このため、この便座１０Ｂはダンパー１５をメンテナンスするために容易に着脱することができる。
【００３７】
また、この右被覆部材１３及び左被覆部材１４は開口部１０Ｖ及び開口部１０Ｗから着脱自在である。このため、この便座１０Ｂは、ダンパー１５をメンテナンスする場合、開口部１０Ｖから右被覆部材１３を取り外すことによって、ダンパー１５の着脱を容易にすることができる。
【００３８】
また、この便座１０Ｂは、後端部に立ち上がり、前面の左右中央部が後方向に湾曲して窪んでおり、左右中央部よりも左右両端部の方が前後方向に厚く形成されており、左右両端部それぞれに右収納部１０Ｋ及び左収納部１０Ｌが設けられた立上がり部１０Ｊを備えている。このため、この便座１０Ｂは、立上がり部１０Ｊが左右中央部よりも左右両端部の方が前後方向に厚く形成されているため、ダンパー１５を収納することができる右収納部１０Ｋを立上がり部１０Ｊの右端部に容易に設けることができる。
【００３９】
また、この便座１０Ｂは、後端部の左右両側に後方向下向きに伸びて設けられ、右収納部１０Ｋ及び左収納部１０Ｌを左右外側から隠蔽する壁部材１０Ｍを備えている。このため、この便座１０Ｂは、倒伏状態において、便座１０Ｂの裏面、便器本体３０の上面、及びカバー１０Ａの間に形成された隙間の左右両側を壁部材１０Ｍが覆う。これにより、この便座１０Ｂは倒伏状態において左右両側から右収納部１０Ｋ及び左収納部１０Ｌを見え難くし、すっきりとした外観にすることができる。
【００４０】
本発明は上記記述及び図面によって説明した実施例に限定されるものではなく、例えば次のような実施例も本発明の技術的範囲に含まれる。
（１）実施例１では、回動部材としてダンパーを用いているが、これに限らず、回動部材としてモーターやねじりコイルバネ等を用いても良い。
（２）実施例１では、ダンパーを右収納部に収納しているが、これに限らず、ダンパーを左収納部に収納しても良い。
（３）実施例１では、１つのダンパーを右収納部に収納しているが、これに限らず、２つのダンパーを右収納部及び左収納部それぞれに収納しても良い。
（４）実施例１では、左被覆部材及び右被覆部材がそれぞれボルトを用いて固定されているが、これに限らず、ボルトを用いて固定しなくても良い。この場合、左被覆部材及び右被覆部材それぞれに爪部が互いに外方向に突出する一対の係止部を設ける。
（５）実施例１では、左被覆部材及び右被覆部材を設けているが、これに限らず、左収納部及び右収納部を１つの被覆部材で覆っても良い。
（６）実施例１では、右収納部及び左収納部が便座の裏面に開口した開口部を有しているが、これに限らず、右収納部及び左収納部が便座の裏面に開口した開口部を有していなくても良い。
（７）実施例１では、右被覆部材、及び左被覆部材を設けているが、これに限らず、右被覆部材、及び左被覆部材を設けなくても良い。
（８）実施例１では、立上がり部を設けているが、これに限らず、ダンパーを収納できれば良く、立上がり部を設けなくても良い。
（９）実施例１では、壁部材を設けているが、これに限らず、壁部材を設けなくても良い。
【符号の説明】
【００４１】
１０Ｂ…便座
１０Ｊ…立上がり部
１０Ｋ…右収納部（収納部）
１０Ｌ…左収納部（収納部）
１０Ｍ…壁部材
１０Ｖ、１０Ｗ…開口部
１３…右被覆部材（被覆部材）
１４…左被覆部材（被覆部材）
１５…ダンパー（回動部材）
３０…便器本体
【図１】
2017035184.tif 000003
【図２】
2017035184.tif 000004
【図３】
2017035184.tif 000005
【図４】
2017035184.tif 000006
【図５】
2017035184.tif 000007
【図６】
2017035184.tif 000008